【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、ここにおいて、前記ＲＡＣＨサブキャリア間隔は、複数のＲＡＣＨサブキャリア間隔のうちの１つであり、前記データトーンサブキャリア間隔は、複数のデータトーンサブキャリア間隔のうちの１つであり、ＲＡＣＨプリアンブルシーケンスの送信のために割り振られたＲＡＣＨトーンの前記数は、前記ＲＡＣＨサブキャリア間隔と前記データトーンサブキャリア間隔との比に対応する、
前記決定された数のＲＡＣＨトーン内でＲＡＣＨリソース中の前記ＲＡＣＨプリアンブルシーケンスを送信することと
を備える、方法。
【請求項２】
前記ＲＡＣＨリソースが前記ＲＡＣＨプリアンブルシーケンスとＲＡＣＨガードトーンとを含む、請求項１に記載の方法。
【請求項３】
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、請求項２に記載の方法。
【請求項４】
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、請求項１に記載の方法。
【請求項５】
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtに等しく、ここで、ＮRBが、前記割り振られたＲＡＣＨリソース内のＲＢの数であり、ＮRB≦５であり、整数である、請求項１に記載の方法。
【請求項６】
前記割り振られたＲＡＣＨリソースの周りのアップリンクデータをレートマッチングすることをさらに備え、ここにおいて、前記レートマッチングされたアップリンクデータが前記ＲＡＣＨプリアンブルシーケンスと同時に送信される、請求項１に記載の方法。
【請求項７】
前記ＲＡＣＨプリアンブルシーケンスとＲＡＣＨガードトーンとを含む前記ＲＡＣＨリソースを用いてアップリンクデータをパンクチャすることをさらに備え、ここにおいて、前記パンクチャされたアップリンクデータが前記ＲＡＣＨプリアンブルシーケンスと同時に送信される、請求項１に記載の方法。
【請求項８】
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、請求項７に記載の方法。
【請求項９】
前記ＲＡＣＨプリアンブルシーケンスのためのＲＡＣＨプリアンブルシーケンス長が様々なＲＡＣＨサブキャリア間隔について固定である、請求項１に記載の方法。
【請求項１０】
前記ＲＡＣＨリソースに割り振るべきＲＡＣＨトーンの数を示す情報を基地局から受信することをさらに備える、請求項１に記載の方法。
【請求項１１】
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、請求項１０に記載の方法。
【請求項１２】
ユーザ機器（ＵＥ）のワイヤレス通信の方法であって、
ランダムアクセスチャネル（ＲＡＣＨ）リソースのリソースブロック（ＲＢ）内のサブキャリア間隔に基づいて、および前記ＲＢの各サブキャリア内のＲＡＣＨトーン間隔に基づいて、前記ＲＡＣＨリソースとアップリンクデータとに関連するレートマッチングまたはパンクチャリングのためのＲＡＣＨトーンの数を決定することと、レートマッチングまたはパンクチャリングのためのＲＡＣＨトーンの前記数が、前記ＲＡＣＨリソースのＲＡＣＨトーンの数＋ｘ個の追加のＲＡＣＨトーンに等しく、ここで、第１のサブキャリア間隔Ｓ1の場合にｘ≧９６であり、第２のサブキャリア間隔Ｓ2の場合にｘ＝０であり、ここで、Ｓ1＞Ｓ2である、
前記ＲＡＣＨリソース中のＲＡＣＨプリアンブルシーケンスを送信することと
を備える、方法。
【請求項１３】
レートマッチングまたはパンクチャリングのためのＲＡＣＨトーンの前記決定された数が、前記第１のサブキャリア間隔Ｓ1の場合に９６０であり、前記第２のサブキャリア間隔Ｓ2の場合に８６４である、請求項１２に記載の方法。
【請求項１４】
前記ＲＡＣＨトーン間隔が１．２５ｋＨｚまたは５ｋＨｚのうちの１つであり、前記サブキャリア間隔が１５ｋＨｚまたは６０ｋＨｚのうちの１つである、請求項１２に記載の方法。
【請求項１５】
前記ＲＡＣＨプリアンブルシーケンスのためのＲＡＣＨプリアンブルシーケンス長が様々なＲＡＣＨサブキャリア間隔について固定である、請求項１２に記載の方法。
【請求項１６】
ワイヤレス通信のための装置であって、
メモリと、
前記メモリに結合された少なくとも１つのプロセッサと
を備え、前記少なくとも１つのプロセッサが、
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、ここにおいて、前記ＲＡＣＨサブキャリア間隔は、複数のＲＡＣＨサブキャリア間隔のうちの１つであり、前記データトーンサブキャリア間隔は、複数のデータトーンサブキャリア間隔のうちの１つであり、ＲＡＣＨプリアンブルシーケンスの送信のために割り振られたＲＡＣＨトーンの前記数は、前記ＲＡＣＨサブキャリア間隔と前記データトーンサブキャリア間隔との比に対応する、
前記決定された数のＲＡＣＨトーン内でＲＡＣＨリソース中の前記ＲＡＣＨプリアンブルシーケンスを送信することと
を行うように構成された、装置。
【請求項１７】
前記ＲＡＣＨリソースが前記ＲＡＣＨプリアンブルシーケンスとＲＡＣＨガードトーンとを含む、請求項１６に記載の装置。
【請求項１８】
前記ＲＡＣＨガードトーンは、前記ＲＡＣＨサブキャリア間隔がＳ1であるとき、前記ＲＡＣＨリソースのＲＢ内に少なくとも６．５個のサブキャリアを備え、前記ＲＡＣＨサブキャリア間隔がＳ2であるとき、前記ＲＡＣＨリソースの前記ＲＢ内に少なくとも２つのサブキャリアを備える、請求項１７に記載の装置。
【請求項１９】
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、請求項１６に記載の装置。
【請求項２０】
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtに等しく、ここで、ＮRBが、前記割り振られたＲＡＣＨリソース内のＲＢの数であり、ＮRB≦５であり、整数である、請求項１６に記載の装置。
【請求項２１】
前記割り振られたＲＡＣＨリソースの周りのアップリンクデータをレートマッチングすることをさらに備え、ここにおいて、前記レートマッチングされたアップリンクデータが前記ＲＡＣＨプリアンブルシーケンスと同時に送信される、請求項１６に記載の装置。
【請求項２２】
前記少なくとも１つのプロセッサおよびメモリが、前記ＲＡＣＨプリアンブルシーケンスとＲＡＣＨガードトーンとを含む前記ＲＡＣＨリソースを用いてアップリンクデータをパンクチャするようにさらに構成され、ここにおいて、前記パンクチャされたアップリンクデータが前記ＲＡＣＨプリアンブルシーケンスと同時に送信される、請求項１６に記載の装置。
【請求項２３】
前記ＲＡＣＨプリアンブルシーケンスのためのＲＡＣＨプリアンブルシーケンス長が様々なＲＡＣＨサブキャリア間隔について固定である、請求項１６に記載の装置。
【請求項２４】
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、請求項２３に記載の装置。
【請求項２５】
前記少なくとも１つのプロセッサが、前記ＲＡＣＨリソースに割り振るべきＲＡＣＨトーンの数を示す情報を基地局から受信するようにさらに構成された、請求項１６に記載の装置。
【請求項２６】
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、請求項２５に記載の装置。
【請求項２７】
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、ここにおいて、前記ＲＡＣＨサブキャリア間隔は、複数のＲＡＣＨサブキャリア間隔のうちの１つであり、前記データトーンサブキャリア間隔は、複数のデータトーンサブキャリア間隔のうちの１つであり、ＲＡＣＨプリアンブルシーケンスの送信のために割り振られたＲＡＣＨトーンの前記数は、前記ＲＡＣＨサブキャリア間隔と前記データトーンサブキャリア間隔との比に対応する、
前記決定された数のＲＡＣＨトーン内でＲＡＣＨリソース中の前記ＲＡＣＨプリアンブルシーケンスを送信することと
を行うためのコードを備える、コンピュータ実行可能コードを記憶する非一時的コンピュータ可読媒体（ＣＲＭ）。
【請求項２８】
前記ＲＡＣＨリソースが前記ＲＡＣＨプリアンブルシーケンスとＲＡＣＨガードトーンとを含む、請求項２７に記載の非一時的ＣＲＭ。
【請求項２９】
前記ＲＡＣＨガードトーンは、前記ＲＡＣＨサブキャリア間隔がＳ1であるとき、前記ＲＡＣＨリソースのＲＢ内に少なくとも６．５個のサブキャリアを備え、前記サブキャリア間隔がＳ2であるとき、前記ＲＡＣＨリソースの前記ＲＢ内に少なくとも２つのサブキャリアを備える、請求項２８に記載の非一時的ＣＲＭ。
【請求項３０】
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、請求項２７に記載の非一時的ＣＲＭ。
【請求項３１】
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtに等しく、ここで、ＮRBが、前記割り振られたＲＡＣＨリソース内のＲＢの数であり、ＮRB≦５であり、整数である、請求項２７に記載の非一時的ＣＲＭ。
【請求項３２】
前記割り振られたＲＡＣＨリソースの周りのアップリンクデータをレートマッチングするためのコードをさらに備え、ここにおいて、前記レートマッチングされたアップリンクデータが前記ＲＡＣＨプリアンブルシーケンスと同時に送信される、請求項２７に記載の非一時的ＣＲＭ。
【請求項３３】
前記ＲＡＣＨプリアンブルシーケンスとＲＡＣＨガードトーンとを含む前記ＲＡＣＨリソースを用いてアップリンクデータをパンクチャするためのコードをさらに備え、ここにおいて、前記パンクチャされたアップリンクデータが前記ＲＡＣＨプリアンブルシーケンスと同時に送信される、請求項２７に記載の非一時的ＣＲＭ。
【請求項３４】
前記ＲＡＣＨプリアンブルシーケンスのためのＲＡＣＨプリアンブルシーケンス長が様々なＲＡＣＨサブキャリア間隔について固定である、請求項２７に記載の非一時的ＣＲＭ。
【請求項３５】
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、請求項３４に記載の非一時的ＣＲＭ。
【請求項３６】
前記ＲＡＣＨリソースに割り振るべきＲＡＣＨトーンの数を示す情報を基地局から受信するためのコードをさらに備える、請求項２７に記載の非一時的ＣＲＭ。
【請求項３７】
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、請求項３６に記載の非一時的ＣＲＭ。
【手続補正２】
【補正対象書類名】明細書
【補正対象項目名】０１１５
【補正方法】変更
【補正の内容】
【０１１５】
[00125]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願発明の当初の特許請求の範囲に記載された発明を付記する。
［Ｃ１］
ユーザ機器（ＵＥ）のワイヤレス通信の方法であって、
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、
前記決定された数のＲＡＣＨトーン内でＲＡＣＨリソース中の前記ＲＡＣＨプリアンブルシーケンスを送信することと
を備える、方法。
［Ｃ２］
前記ＲＡＣＨリソースが前記ＲＡＣＨプリアンブルシーケンスとＲＡＣＨガードトーンとを含む、Ｃ１に記載の方法。
［Ｃ３］
前記ＲＡＣＨガードトーンは、前記サブキャリア間隔がＳ1であるとき、前記ＲＡＣＨリソースのＲＢ内に少なくとも６．５個のサブキャリアを備え、前記サブキャリア間隔がＳ2であるとき、前記ＲＡＣＨリソースの前記ＲＢ内に少なくとも２つのサブキャリアを備える、Ｃ２に記載の方法。
［Ｃ４］
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、Ｃ１に記載の方法。
［Ｃ５］
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtにほぼ等しく、ここで、ＮRBが、前記割り振られたＲＡＣＨリソース内のＲＢの数であり、ＮRB≦５であり、整数である、Ｃ１に記載の方法。
［Ｃ６］
前記割り振られたＲＡＣＨリソースの周りのアップリンクデータをレートマッチングすることをさらに備え、ここにおいて、前記レートマッチングされたアップリンクデータが前記ＲＡＣＨプリアンブルシーケンスと同時に送信される、Ｃ１に記載の方法。
［Ｃ７］
前記ＲＡＣＨプリアンブルシーケンスとＲＡＣＨガードトーンとを含む前記ＲＡＣＨリソースを用いてアップリンクデータをパンクチャすることをさらに備え、ここにおいて、前記パンクチャされたアップリンクデータが前記ＲＡＣＨプリアンブルシーケンスと同時に送信される、Ｃ１に記載の方法。
［Ｃ８］
前記ＲＡＣＨプリアンブルシーケンスのためのＲＡＣＨプリアンブルシーケンス長が様々なＲＡＣＨサブキャリア間隔について固定である、Ｃ１に記載の方法。
［Ｃ９］
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、Ｃ７に記載の方法。
［Ｃ１０］
前記ＲＡＣＨリソースに割り振るべきＲＡＣＨトーンの数を示す情報を基地局から受信することをさらに備える、Ｃ１に記載の方法。
［Ｃ１１］
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、Ｃ１０に記載の方法。
［Ｃ１２］
ユーザ機器（ＵＥ）のワイヤレス通信の方法であって、
ランダムアクセスチャネル（ＲＡＣＨ）リソースのリソースブロック（ＲＢ）内のサブキャリア間隔に基づいて、および前記ＲＢの各サブキャリア内のＲＡＣＨトーン間隔に基づいて、前記ＲＡＣＨリソースとアップリンクデータとに関連するレートマッチングまたはパンクチャリングのためのＲＡＣＨトーンの数を決定することと、レートマッチングまたはパンクチャリングのためのＲＡＣＨトーンの前記数が、前記ＲＡＣＨリソースのＲＡＣＨトーンの数＋ｘ個の追加のＲＡＣＨトーンに等しく、ここで、第１のサブキャリア間隔Ｓ1の場合にｘ≧９６であり、第２のサブキャリア間隔Ｓ2の場合にｘ＝０であり、ここで、Ｓ1＞Ｓ2である、
前記ＲＡＣＨリソース中のＲＡＣＨプリアンブルシーケンスを送信することと
を備える、方法。
［Ｃ１３］
レートマッチングまたはパンクチャリングのためのＲＡＣＨトーンの前記決定された数が、前記第１のサブキャリア間隔Ｓ1の場合に９６０であり、前記第２のサブキャリア間隔Ｓ2の場合に８６４である、Ｃ１２に記載の方法。
［Ｃ１４］
前記ＲＡＣＨトーン間隔が１．２５ｋＨｚまたは５ｋＨｚのうちの１つであり、前記サブキャリア間隔が１５ｋＨｚまたは６０ｋＨｚのうちの１つである、Ｃ１２に記載の方法。
［Ｃ１５］
前記ＲＡＣＨプリアンブルシーケンスのためのＲＡＣＨプリアンブルシーケンス長が様々なＲＡＣＨサブキャリア間隔について固定である、Ｃ１２に記載の方法。
［Ｃ１６］
ワイヤレス通信のための装置であって、
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定するための手段と、
前記決定された数のＲＡＣＨトーン内でＲＡＣＨリソース中の前記ＲＡＣＨプリアンブルシーケンスを送信するための手段と
を備える、装置。
［Ｃ１７］
前記ＲＡＣＨリソースが前記ＲＡＣＨプリアンブルシーケンスとＲＡＣＨガードトーンとを含む、Ｃ１６に記載の装置。
［Ｃ１８］
前記ＲＡＣＨガードトーンは、前記ＲＡＣＨサブキャリア間隔がＳ1であるとき、前記ＲＡＣＨリソースのＲＢ内に少なくとも６．５個のサブキャリアを備え、前記ＲＡＣＨサブキャリア間隔がＳ2であるとき、前記ＲＡＣＨリソースの前記ＲＢ内に少なくとも２つのサブキャリアを備える、Ｃ１７に記載の装置。
［Ｃ１９］
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、Ｃ１６に記載の装置。
［Ｃ２０］
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtにほぼ等しく、ここで、ＮRBが、前記割り振られたＲＡＣＨリソース内のＲＢの数であり、ＮRB≦５であり、整数である、Ｃ１６に記載の装置。
［Ｃ２１］
前記割り振られたＲＡＣＨリソースの周りのアップリンクデータをレートマッチングすることをさらに備え、ここにおいて、前記レートマッチングされたアップリンクデータが前記ＲＡＣＨプリアンブルシーケンスと同時に送信される、Ｃ１６に記載の装置。
［Ｃ２２］
前記ＲＡＣＨプリアンブルシーケンスとＲＡＣＨガードトーンとを含む前記ＲＡＣＨリソースを用いてアップリンクデータをパンクチャすることをさらに備え、ここにおいて、前記パンクチャされたアップリンクデータが前記ＲＡＣＨプリアンブルシーケンスと同時に送信される、Ｃ１６に記載の装置。
［Ｃ２３］
前記ＲＡＣＨプリアンブルシーケンスのためのＲＡＣＨプリアンブルシーケンス長が様々なＲＡＣＨサブキャリア間隔について固定である、Ｃ１６に記載の装置。
［Ｃ２４］
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、Ｃ２３に記載の装置。
［Ｃ２５］
前記ＲＡＣＨリソースに割り振るべきＲＡＣＨトーンの数を示す情報を基地局から受信することをさらに備える、Ｃ１６に記載の装置。
［Ｃ２６］
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、Ｃ２５に記載の装置。
［Ｃ２７］
ワイヤレス通信のための装置であって、
メモリと、
前記メモリに結合された少なくとも１つのプロセッサと
を備え、前記少なくとも１つのプロセッサが、
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、
前記決定された数のＲＡＣＨトーン内でＲＡＣＨリソース中の前記ＲＡＣＨプリアンブルシーケンスを送信することと
を行うように構成された、装置。
［Ｃ２８］
前記ＲＡＣＨリソースが前記ＲＡＣＨプリアンブルシーケンスとＲＡＣＨガードトーンとを含む、Ｃ２７に記載の装置。
［Ｃ２９］
前記ＲＡＣＨガードトーンは、前記ＲＡＣＨサブキャリア間隔がＳ1であるとき、前記ＲＡＣＨリソースのＲＢ内に少なくとも６．５個のサブキャリアを備え、前記ＲＡＣＨサブキャリア間隔がＳ2であるとき、前記ＲＡＣＨリソースの前記ＲＢ内に少なくとも２つのサブキャリアを備える、Ｃ２８に記載の装置。
［Ｃ３０］
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、Ｃ２７に記載の装置。
［Ｃ３１］
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtにほぼ等しく、ここで、ＮRBが、前記割り振られたＲＡＣＨリソース内のＲＢの数であり、ＮRB≦５であり、整数である、Ｃ２７に記載の装置。
［Ｃ３２］
前記割り振られたＲＡＣＨリソースの周りのアップリンクデータをレートマッチングすることをさらに備え、ここにおいて、前記レートマッチングされたアップリンクデータが前記ＲＡＣＨプリアンブルシーケンスと同時に送信される、Ｃ２７に記載の装置。
［Ｃ３３］
前記少なくとも１つのプロセッサおよびメモリが、前記ＲＡＣＨプリアンブルシーケンスとＲＡＣＨガードトーンとを含む前記ＲＡＣＨリソースを用いてアップリンクデータをパンクチャするようにさらに構成され、ここにおいて、前記パンクチャされたアップリンクデータが前記ＲＡＣＨプリアンブルシーケンスと同時に送信される、Ｃ２７に記載の装置。
［Ｃ３４］
前記ＲＡＣＨプリアンブルシーケンスのためのＲＡＣＨプリアンブルシーケンス長が様々なＲＡＣＨサブキャリア間隔について固定である、Ｃ２７に記載の装置。
［Ｃ３５］
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、Ｃ３４に記載の装置。
［Ｃ３６］
前記少なくとも１つのプロセッサが、前記ＲＡＣＨリソースに割り振るべきＲＡＣＨトーンの数を示す情報を基地局から受信するようにさらに構成された、Ｃ２７に記載の装置。
［Ｃ３７］
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、Ｃ３６に記載の装置。
［Ｃ３８］
ランダムアクセスチャネル（ＲＡＣＨ）サブキャリア間隔とデータトーンサブキャリア間隔とに基づいて、ＲＡＣＨプリアンブルシーケンスの送信のために割り振られたＲＡＣＨトーンの数を決定することと、
前記決定された数のＲＡＣＨトーン内でＲＡＣＨリソース中の前記ＲＡＣＨプリアンブルシーケンスを送信することと
を行うためのコードを備える、コンピュータ実行可能コードを記憶するコンピュータ可読媒体（ＣＲＭ）。
［Ｃ３９］
前記ＲＡＣＨリソースが前記ＲＡＣＨプリアンブルシーケンスとＲＡＣＨガードトーンとを含む、Ｃ３８に記載のＣＲＭ。
［Ｃ４０］
前記ＲＡＣＨガードトーンは、前記ＲＡＣＨサブキャリア間隔がＳ1であるとき、前記ＲＡＣＨリソースのＲＢ内に少なくとも６．５個のサブキャリアを備え、前記サブキャリア間隔がＳ2であるとき、前記ＲＡＣＨリソースの前記ＲＢ内に少なくとも２つのサブキャリアを備える、Ｃ３９に記載のＣＲＭ。
［Ｃ４１］
ＲＡＣＨトーンの前記決定された数は、前記ＲＡＣＨサブキャリア間隔がＳ1であるとき、Ｎ1であり、前記ＲＡＣＨサブキャリア間隔がＳ2であるとき、Ｎ2であり、ここで、Ｎ1＞Ｎ2であり、Ｓ1＞Ｓ2である、Ｃ３８に記載のＣＲＭ。
［Ｃ４２］
前記データトーンサブキャリア間隔がＳsであり、ＲＡＣＨトーン間隔Ｓtであり、ここで、Ｓs＞Ｓtであり、前記ＲＡＣＨリソースのために割り振られたＲＡＣＨトーンの前記決定された数が、１２＊ＮRB＊Ｓs／Ｓtにほぼ等しく、ここで、ＮRBが、前記割り振られたＲＡＣＨリソース内のＲＢの数であり、ＮRB≦５であり、整数である、Ｃ３７に記載のＣＲＭ。
［Ｃ４３］
前記割り振られたＲＡＣＨリソースの周りのアップリンクデータをレートマッチングするためのコードをさらに備え、ここにおいて、前記レートマッチングされたアップリンクデータが前記ＲＡＣＨプリアンブルシーケンスと同時に送信される、Ｃ３７に記載のＣＲＭ。
［Ｃ４４］
前記ＲＡＣＨプリアンブルシーケンスとＲＡＣＨガードトーンとを含む前記ＲＡＣＨリソースを用いてアップリンクデータをパンクチャするためのコードをさらに備え、ここにおいて、前記パンクチャされたアップリンクデータが前記ＲＡＣＨプリアンブルシーケンスと同時に送信される、Ｃ３７に記載のＣＲＭ。
［Ｃ４５］
前記ＲＡＣＨプリアンブルシーケンスのためのＲＡＣＨプリアンブルシーケンス長が様々なＲＡＣＨサブキャリア間隔について固定である、Ｃ３７に記載のＣＲＭ。
［Ｃ４６］
前記ＲＡＣＨリソース内のガードトーンの数が、前記ＲＡＣＨサブキャリア間隔が増加するにつれて増加し、ガードトーンの前記数が、ＲＡＣＨトーンの前記決定された数−前記ＲＡＣＨプリアンブルシーケンス長に等しい、Ｃ４５に記載のＣＲＭ。
［Ｃ４７］
前記ＲＡＣＨリソースに割り振るべきＲＡＣＨトーンの数を示す情報を基地局から受信するためのコードをさらに備える、Ｃ３７に記載のＣＲＭ。
［Ｃ４８］
前記情報が、１次同期信号（ＰＳＳ）、２次同期信号（ＳＳＳ）、物理ブロードキャストチャネル（ＰＢＣＨ）、前記ＰＢＣＨの復調基準信号（ＤＭＲＳ）、残存最小システム情報（ＲＭＳＩ）、他のシステム情報（ＯＳＩ）、物理ダウンリンク制御チャネル（ＰＤＣＣＨ）、無線リソース制御（ＲＲＣ）メッセージ、ハンドオーバメッセージ、またはシステム情報ブロック（ＳＩＢ）のうちの１つまたは複数を通して受信される、Ｃ４７に記載のＣＲＭ。
【手続補正３】
【補正対象書類名】図面
【補正対象項目名】図１０
【補正方法】変更
【補正の内容】
【図１０】
2020537410.tif 000001